【手続補正書】
【提出日】平成24年4月25日(2012.4.25)
【手続補正１】
【補正対象書類名】明細書
【補正対象項目名】００２１
【補正方法】変更
【補正の内容】
【００２１】
いくつかの実施形態では、可撓性における改善は（improvement is flexibility）、単に又は一部分において、少なくとも２つの芳香環を含む少なくとも１１、１２、又は１３重量％のジ（メタ）アクリレート）モノマー及び／又はオリゴマーの包含によってもたらされる。いくつか実施形態では、無機ナノ粒子の、少なくとも２つの芳香環を含むジ（メタ）アクリレート）モノマー及び／又はオリゴマーに対する比率は、６．５：１以下である。このような芳香族モノマーは典型的に、少なくとも３５０ｇ／モル、４００ｇ／モル、又は４５０ｇ／モルの分子量を含む。少なくとも２つの重合可能な（メタ）アクリレート基を有する芳香族モノマー又はオリゴマーは、合成されても又は購入されてもよい。芳香族モノマー又はオリゴマーは典型的に、特定の構造の主要部分、すなわち少なくとも６０〜７０重量％、を含有する。他の反応生成物もこのようなモノマーの合成の副生成物として典型的に存在することは、一般的に認識される。
【手続補正２】
【補正対象書類名】明細書
【補正対象項目名】００２４
【補正方法】変更
【補正の内容】
【００２４】
式中、Ｚは、独立して、−Ｃ（ＣＨ３）２−、−ＣＨ２−、−Ｃ（Ｏ）−、−Ｓ−、−Ｓ（Ｏ）−、又は−Ｓ（Ｏ）２−であり、それぞれのＱは、独立してＯ又はＳである。Ｌは連結基である。Ｌは独立して、分岐鎖又は直鎖Ｃ２〜Ｃ１２アルキレン基を含んでよく、ｎは０〜１０の範囲である。Ｌは好ましくは分岐鎖又は直鎖のＣ２〜Ｃ６アルキレン基を含む。より好ましくは、ＬはＣ２又はＣ３であり、ｎは０、１、２又は３である。一般的に、連結基は同一である。Ｒ１は独立して水素又はメチルである。
【手続補正３】
【補正対象書類名】明細書
【補正対象項目名】００３０
【補正方法】変更
【補正の内容】
【００３０】
式中、それぞれのＲ１は独立してＨ又はメチルであり、
それぞれのＲ２は独立してＢｒであり、
ｍは０〜４の範囲であり、
それぞれのＱは独立してＯ又はＳであり、
ｎは０〜１０の範囲であり、
Ｌは１つ以上のヒドロキシル基により任意に置換されたＣ２〜Ｃ１２のアルキレン基であり、
ｚは芳香環であり、
ｔは独立して０又は１である。
【手続補正４】
【補正対象書類名】明細書
【補正対象項目名】００３１
【補正方法】変更
【補正の内容】
【００３１】
いくつかの態様では、Ｑは０であることが好ましい。Ｌは、独立して、分岐鎖又は直鎖Ｃ２〜Ｃ１２アルキレン基を含んでよく、ｎは０〜１０の範囲である。Ｌは分岐鎖又は直鎖Ｃ２〜Ｃ６アルキレン基を含むことが好ましい。より好ましくは、Ｌは、Ｃ２又はＣ３であり、ｎは１、２、又は３である。一般的に連結基は同一である。Ｒ１は独立して水素又はメチルである。いくつかの実施形態では、ｚは、好ましくはフェニル基に縮合し、それによってビナフチルコア構造体を形成する。
【手続補正５】
【補正対象書類名】明細書
【補正対象項目名】００３７
【補正方法】変更
【補正の内容】
【００３７】
いくつかの実施形態では、少なくとも１つの（メタ）アクリルシランは、共重合可能な表面処理剤として用いられる。好適な（メタ）アクリルシランには、（メタ）アクリロイアルコキシシラン、例えば、３−（メタクリロイルオキシ）プロピルトリメトキシシラン、３−アクリロイルオキシプロピルトリメトキシシラン、３−（メタクリロイルオキシ）プロピルメチルジメトキシシラン、３−（アクリロイルオキシプロピル）メチルジメトキシシラン、３−（メタクリロイルオキシ）プロピルジメチルメトキシシラン、及び３−（アクリロイルオキシプロピル）ジメチルメトキシシランが挙げられる。これらの中で、（メタ）アクリルシランは、アクリルシランとの比較において、より良好な可撓性をもたらす傾向がある。
【手続補正６】
【補正対象書類名】明細書
【補正対象項目名】００７３
【補正方法】変更
【補正の内容】
【００７３】
重合可能な低及び高屈折率コーティング組成物には更に、２官能性（メタ）アクリレートモノマーを少なくとも１つ含めてもよい。様々な２官能性（メタ）アクリレートモノマーが、当該技術分野で知られており、例えば、１，３−ブチレングリコールジアクリレート、１，４−ブタンジオールジアクリレート、１，６−ヘキサンジオールジアクリレート、１，６−ヘキサンジオールモノアクリレートモノメタクリレート、エチレングリコールジアクリレート、アルコキシル化脂肪族ジアクリレート、アルコキシル化シクロヘキサンジメタノールジアクリレート、アルコキシル化ヘキサンジオールジアクリレート、アルコキシル化ネオペンチルグリコールジアクリレート、カプロラクトン修飾ネオペンチルグリコールヒドロキシピバレートジアクリレート、シクロヘキサンジメタノールジアクリレート、ジエチレングリコールジアクリレート、ジプロピレングリコールジアクリレート、ネオペンチルグリコールジアクリレート、ポリエチレングリコールジアクリレート、（Ｍｎ＝２００ｇ／モル、４００ｇ／モル、６００ｇ／モル）、プロポキシル化ネオペンチルグリコールジアクリレート、テトラエチレングリコールアクリレート、トリシクロデカンジメタノールジアクリレート、トリエチレングリコールジアクリレート、及び、トリプロピレングリコールアクリレートが挙げられる。
【手続補正７】
【補正対象書類名】明細書
【補正対象項目名】０１０７
【補正方法】変更
【補正の内容】
【０１０７】
【表２】
2011527027.tif 000001
【手続補正８】
【補正対象書類名】明細書
【補正対象項目名】０１２１
【補正方法】変更
【補正の内容】
【０１２１】
１０．ＳｎＯ２−９．５：０．５  ＭＰＴＭＳ／Ａ１２３０滴下漏斗、温度コントローラー、パドル攪拌機、及び蒸留ヘッドを備えた２５０ｍＬのフラスコに、４０ｇのＣＸ−Ｓ４０１Ｍ、３０ｇのメトキシプロパノール及び０．２ｇの水を攪拌下で充填した。５分後、３．８ｇのＭＰＴＭＳ及び０．４ｇのＳｉｌｑｕｅｓｔ  Ａ−１２３０をプレミックスし、急速攪拌下で一滴ずつ添加した。得られた混合物は次いで、還流するために１２時間加熱した。室温まで冷却した後、次いで、２５ｇの−メトキシプロパノールを、次いで一定の攪拌下で添加した。溶液を丸底フラスコに移し、次いで、メタノール、水、及びメトキシプロパノールの一部の量を含む溶媒を、ロータリーエバポレーターを使用して除去し、５９．６固形分重量％を備える粘稠な液体メトキシプロパノールゾルが得られた。
【手続補正９】
【補正対象書類名】特許請求の範囲
【補正対象項目名】全文
【補正方法】変更
【補正の内容】
【特許請求の範囲】
【請求項１】
約２０〜２００マイクロメートルの範囲の厚さを有する光透過性基材と、
前記基材上に配置された、約３〜５マイクロメートルの範囲の厚さを有する高屈折率層であって、前記高屈折率層が、架橋された有機材料中に分散した、少なくとも１．６０の屈折率を有する少なくとも６０重量％の無機ナノ粒子を含み、前記架橋された有機材料が、少なくとも２つの芳香環及び前記２つの環のそれぞれに結合されたアルコキシル化（メタ）アクリレート基を含む、少なくとも１つのジ（メタ）アクリレートモノマー又はオリゴマーを含む、重合可能な樹脂組成物の反応生成物である、高屈折率層と、
前記高屈折率層に結合された低屈折率表面層と、を含む、反射防止フィルムであって、
前記高屈折率層が、６ｍｍのマンドレルサイズを使用してＩＳＯ  １５１９に従って試験したときに、亀裂しない、反射防止フィルム。
【請求項２】
前記モノマー又はオリゴマーが以下の構造：
【化１】
2011527027.tif 000002
を有し、式中、Ｚは独立して、−Ｃ（ＣＨ３）２−、−ＣＨ２−、−Ｃ（Ｏ）−、−Ｓ−、−Ｓ（Ｏ）−、又は−Ｓ（Ｏ）２−であり、
Ｑは独立してＯ又はＳであり、
Ｌは独立して、分岐鎖又は直鎖Ｃ２〜Ｃ１２アルキレン基であり、
ｎは１〜１０の範囲であり、
Ｒ１は独立してＨ又はメチルである、請求項１に記載の反射防止フィルム。
【請求項３】
低屈折率表面層と、
前記低屈折率層に結合された高屈折率層と、を含む反射防止フィルムであって、前記高屈折率層が、少なくとも２つの芳香環を含む少なくとも１つのジ（メタ）アクリレートモノマー又はオリゴマーを少なくとも１１固形分重量％の量で含む、重合可能な樹脂組成物の反応生成物中に分散した、少なくとも１．６０の屈折率を有する少なくとも６０重量％の無機ナノ粒子を含む、反射防止フィルム。
【請求項４】
前記モノマーが以下の構造：
【化２】
2011527027.tif 000003
を有し、式中、それぞれのＲ１は独立してＨ又はメチルであり、
それぞれのＲ２は独立してＢｒであり、
ｍは０〜４の範囲であり、
それぞれのＱは独立してＯ又はＳであり、
ｎは１〜１０の範囲であり、
Ｌは独立して、分岐鎖又は直鎖Ｃ２〜Ｃ１２アルキレン基であり、
ｚは芳香環であり、
ｔは独立して０又は１である、請求項３に記載の反射防止フィルム。